【手続補正書】
【提出日】平成15年4月24日(2003.4.24)
【手続補正１】
【補正対象書類名】明細書
【補正対象項目名】特許請求の範囲
【補正方法】変更
【補正の内容】
【特許請求の範囲】
【請求項１】
燐酸化合物および／またはホウ酸化合物で処理された薄片状金属基質表面上に、  珪素、アルミニウム、ジルコニウム、チタン、錫からなる群から選択される１種または２種以上の金属の金属水和酸化物を１種または２種以上含有する被覆層を１層または２層以上有することを特徴とする、高耐腐食性薄片状金属顔料。
【請求項２】
薄片状金属基質が、光輝感を有するメタリック顔料であることを特徴とする、請求項１に記載の高耐腐食性薄片状金属顔料。
【請求項３】
光輝感を有するメタリック顔料が、アルミニウムフレーク、チタンフレーク、金フレーク、銀フレーク、銅−亜鉛合金フレーク、ステンレスフレーク、ブロンズフレークのいずれかであることを特徴とする、請求項２に記載の高耐腐食性薄片状金属顔料。
【請求項４】
金属水和酸化物が、珪素水和酸化物であることを特徴とする、請求項１に記載の高耐腐食性薄片状金属顔料。
【請求項５】
金属水和酸化物が、ゾル・ゲル法により得られたものであることを特徴とする、請求項１に記載の高耐腐食性薄片状金属顔料。
【請求項６】
ゾル・ゲル法を金属アルコキシドの加水分解により行うことを特徴とする、請求項５に記載の高耐腐食性薄片状金属顔料。
【請求項７】
金属アルコキシドの加水分解を塩基性触媒を用いて行うことを特徴とする、請求項６に記載の高耐腐食性薄片状金属顔料。
【請求項８】
燐酸化合物および／またはホウ酸化合物の使用量が、薄片状金属基質の単位表面積（ｍ２）当たり、Ｐ２Ｏ５および／またはＢ２Ｏ３換算で０．０００１ｇ〜０．１ｇに相当する量であり、金属水和酸化物被覆層形成における金属化合物の使用量が、薄片状金属基質の単位表面積（ｍ２）当たり、金属酸化物（ＳｉＯ２、Ａｌ２Ｏ３、ＺｒＯ２、ＴｉＯ２およびＳｎＯ２）換算で０．０１ｇ〜１．０ｇに相当する量であることを特徴とする、請求項１に記載の高耐腐食性薄片状金属顔料。
【請求項９】
薄片状金属基質を極性有機溶剤に分散させて懸濁液を調製し、
（１）その懸濁液に燐酸化合物および／またはホウ酸化合物を添加・攪拌して前記基質を処理し、同時にまたは次いで、
（２）ゾル・ゲル法により前記基質表面上に金属水和酸化物被覆層を形成する、工程を含むことを特徴とする、高耐腐食性薄片状金属顔料の製造方法。
【請求項１０】
ゾル・ゲル法を、極性有機溶剤に溶解させた金属アルコキシド溶液の加水分解により行うことを特徴とする、請求項９に記載の製造方法。
【請求項１１】
金属水和酸化物被覆層を構成する金属が、珪素、アルミニウム、錫、ジルコニウム、チタンからなる群から選択される１種または２種以上の金属であることを特徴とする、請求項９または１０に記載の製造方法。
【請求項１２】
水および触媒を添加した後に、金属アルコキシド溶液を添加することを特徴とする、請求項１０に記載の製造方法。
【請求項１３】
金属アルコキシド溶液を、触媒を含む水溶液と、同時に添加することを特徴とする、請求項１０に記載の製造方法。
【請求項１４】
金属アルコキシド溶液を添加後に、触媒を含む水溶液を添加することを特徴とする、請求項１０に記載の製造方法。
【請求項１５】
触媒が塩基性触媒であることを特徴とする、請求項１２〜１４のいずれかに記載の製造方法。
【請求項１６】
請求項１〜８のいずれかに記載の高耐腐食性薄片状金属顔料の表面に、さらに１層または２層以上からなる第二の金属水和酸化物層を被覆してなることを特徴とする、金属光沢干渉発色顔料。
【請求項１７】
第二の金属水和酸化物層が、湿式法、化学蒸着法または物理蒸着法によって得られたものであることを特徴とする、請求項１６に記載の金属光沢干渉発色顔料。
【請求項１８】
第二の金属水和酸化物層が湿式法によって得られたものであることを特徴とする、請求項１７に記載の金属光沢干渉発色顔料。
【請求項１９】
第二の金属水和酸化物層が、チタン、アルミニウム、ジルコニウム、錫、亜鉛、鉄、クロム、コバルト、珪素、ホウ素からなる群から選択される１種または２種以上の金属の金属水和酸化物を１種または２種以上含有する被覆層であることを特徴とする、請求項１６に記載の金属光沢干渉発色顔料。
【請求項２０】
第二の金属水和酸化物層が、異種の金属水和酸化物層を多層積層したものであることを特徴とする、請求項１６に記載の金属光沢干渉発色顔料。
【請求項２１】
第二の金属水和酸化物層が、高屈折率金属水和酸化物層と低屈折率金属水和酸化物層とを交互に多層積層してなることを特徴とする、請求項２０に記載の金属光沢干渉発色顔料。
【請求項２２】
請求項１〜８に記載の高耐腐食性薄片状金属顔料または請求項１６〜２１に記載の金属光沢干渉発色顔料の塗料、粉体塗装および塗膜、インク、偽造防止印刷および印刷物、プラスチック、ペレットおよびプラスチック成形物、化粧料への使用。
【請求項２３】
請求項１〜８に記載の高耐腐食性薄片状金属顔料または請求項１６〜２１に記載の金属光沢干渉発色顔料を含む組成物。
【請求項２４】
さらに、併用顔料、有機顔料および天然色素からなる群から選択される顔料の１種または２種以上を含む、請求項２３に記載の組成物。
【請求項２５】
併用顔料が、金属粉顔料、金属酸化物被覆雲母、金属酸化物被覆薄片状アルミナ、光学効果顔料および機能性顔料からなる群から選択される１種または２種以上であることを特徴とする、請求項２４に記載の組成物。
【請求項２６】
請求項１〜８に記載の高耐腐食性薄片状金属顔料または請求項１６〜２１に記載の金属光沢干渉発色顔料を含有する塗料。
【請求項２７】
さらに併用顔料を含有することを特徴とする、請求項２６に記載の塗料。
【請求項２８】
併用顔料が、金属粉顔料、金属酸化物被覆雲母、金属酸化物被覆薄片状アルミナ、光学効果顔料および機能性顔料からなる群から選択される１種または２種以上であることを特徴とする、請求項２７に記載の塗料。
【請求項２９】
粉体塗料であることを特徴とする、請求項２６〜２８のいずれかに記載の塗料。
【請求項３０】
水系塗料であることを特徴とする、請求項２６〜２８のいずれかに記載の塗料。
【請求項３１】
請求項１〜８に記載の高耐腐食性薄片状金属顔料または請求項１６〜２１に記載の金属光沢干渉発色顔料を含有するインキ。
【請求項３２】
さらに併用顔料を含有することを特徴とする、請求項３１に記載のインキ。
【請求項３３】
併用顔料が、金属粉顔料、金属酸化物被覆雲母、金属酸化物被覆薄片状アルミナ、光学効果顔料および機能性顔料からなる群から選択される１種または２種以上であることを特徴とする、請求項３２に記載のインキ。
【請求項３４】
水系インキであることを特徴とする、請求項３１〜３３のいずれかに記載のインキ。
【請求項３５】
請求項１〜８に記載の高耐腐食性薄片状金属顔料または請求項１６〜２１に記載の金属光沢干渉発色顔料を含有するプラスチック。
【請求項３６】
さらに併用顔料を含有することを特徴とする、請求項３５に記載のプラスチック。
【請求項３７】
併用顔料が、金属粉顔料、金属酸化物被覆雲母、金属酸化物被覆薄片状アルミナ、光学効果顔料および機能性顔料からなる群から選択される１種または２種以上であることを特徴とする、請求項３６に記載のプラスチック。
【請求項３８】
請求項２６〜３０に記載の塗料を塗装してなる塗装物。
【請求項３９】
さらにクリアー塗料を塗装してなる少なくとも２層の塗膜層を有する、請求項３８に記載の塗装物。
【請求項４０】
請求項３１〜３４に記載のインキによって得られる印刷物。
【手続補正２】
【補正対象書類名】明細書
【補正対象項目名】０００８
【補正方法】変更
【補正の内容】
【０００８】
また、本発明は、前記高耐腐食性薄片状金属顔料の表面に、さらに１層または２層以上からなる第二の金属水和酸化物層を被覆してなることを特徴とする、金属光沢干渉発色顔料に関する。
さらに、本発明は、第二の金属水和酸化物層が、湿式法、化学蒸着法または物理蒸着法によって得られたものであることを特徴とする、前記金属光沢干渉発色顔料に関する。
また、本発明は、第二の金属水和酸化物層が湿式法によって得られたものであることを特徴とする、前記金属光沢干渉発色顔料に関する。
さらに、本発明は、第二の金属水和酸化物層が、チタン、アルミニウム、ジルコニウム、錫、亜鉛、鉄、クロム、コバルト、珪素、ホウ素からなる群から選択される１種または２種以上の金属の金属水和酸化物を１種または２種以上含有する被覆層であることを特徴とする、前記金属光沢干渉発色顔料に関する。
また、本発明は、第二の金属水和酸化物層が、異種の金属水和酸化物層を多層積層したものであることを特徴とする、前記金属光沢干渉発色顔料に関する。
さらに、本発明は、第二の金属水和酸化物層が、高屈折率金属水和酸化物層と低屈折率金属水和酸化物層とを交互に多層積層してなることを特徴とする、前記金属光沢干渉発色顔料に関する。
また、本発明は、前記高耐腐食性薄片状金属顔料または前記金属光沢干渉発色顔料の塗料、粉体塗装および塗膜、インク、偽造防止印刷および印刷物、プラスチック、ペレットおよびプラスチック成形物、化粧料への使用に関する。
さらに、本発明は、前記高耐腐食性薄片状金属顔料または前記金属光沢干渉発色顔料を含む組成物に関する。
また、本発明は、さらに、併用顔料、有機顔料および天然色素からなる群から選択される顔料の１種または２種以上を含む、前記組成物に関する。
さらに、本発明は、併用顔料が、金属粉顔料、金属酸化物被覆雲母、金属酸化物被覆薄片状アルミナ、光学効果顔料および機能性顔料からなる群から選択される１種または２種以上であることを特徴とする、前記組成物に関する。
また、本発明は、前記高耐腐食性薄片状金属顔料または前記金属光沢干渉発色顔料を含有する塗料に関する。
さらに、本発明は、さらに併用顔料を含有することを特徴とする、前記塗料に関する。
また、本発明は、併用顔料が、金属粉顔料、金属酸化物被覆雲母、金属酸化物被覆薄片状アルミナ、光学効果顔料および機能性顔料からなる群から選択される１種または２種以上であることを特徴とする、前記塗料に関する。
さらに、本発明は、粉体塗料であることを特徴とする、前記塗料に関する。
また、本発明は、水系塗料であることを特徴とする、前記塗料に関する。
さらに、本発明は、前記高耐腐食性薄片状金属顔料または前記金属光沢干渉発色顔料を含有するインキに関する。
また、本発明は、さらに併用顔料を含有することを特徴とする、前記インキに関する。
さらに、本発明は、併用顔料が、金属粉顔料、金属酸化物被覆雲母、金属酸化物被覆薄片状アルミナ、光学効果顔料および機能性顔料からなる群から選択される１種または２種以上であることを特徴とする、前記インキに関する。
また、本発明は、水系インキであることを特徴とする、前記インキに関する。
さらに、本発明は、前記高耐腐食性薄片状金属顔料または前記金属光沢干渉発色顔料を含有するプラスチックに関する。
また、本発明は、さらに併用顔料を含有することを特徴とする、前記プラスチックに関する。
さらに、本発明は、併用顔料が、金属粉顔料、金属酸化物被覆雲母、金属酸化物被覆薄片状アルミナ、光学効果顔料および機能性顔料からなる群から選択される１種または２種以上であることを特徴とする、前記プラスチックに関する。
また、本発明は、前記塗料を塗装してなる塗装物に関する。
さらに、本発明は、さらにクリアー塗料を塗装してなる少なくとも２層の塗膜層を有する、前記塗装物に関する。
また、本発明は、前記インキによって得られる印刷物に関する。